(57)【特許請求の範囲】
【請求項１】
昇降用モータにより座卓を下降させて炉箱内に収納させ且つ座卓を上昇させて炉箱から突出させるための昇降用スイッチを設け、前記昇降用モータを駆動するためのモータ駆動用トランスとリレー用の電源回路に通電するためのトランスとを別に設け、昇降用スイッチをオンにして昇降用モータが駆動している時のみモータ駆動用トランスに通電し且つ昇降用モータが非駆動で昇降動作をしていない時にはモータ駆動用トランスへの通電をオフするためのモータ駆動用トランス入り切り手段を設け、座卓が上昇して上限位置に位置した状態でのみ通電可能なヒータを備えて成ることを特徴とする昇降掘り炬燵。
【請求項２】
昇降用スイッチを上昇用スイッチと下降用スイッチとの２つのスイッチで構成し、この上昇用スイッチと、下降用スイッチと、誤操作防止用スイッチとを操作ユニットに設け、上昇用スイッチの一端部と下降用スイッチ７の一端部と誤操作防止用スイッチの一端部とをそれぞれ接続すると共に、昇降用モータの制御回路に設けた３つの端子に上記上昇用スイッチの他端部と下降用スイッチの他端部と誤操作防止用スイッチの他端部とを接続して成ることを特徴とする請求項１記載の昇降掘り炬燵。
【請求項３】
炉箱の外面から突出した部分にモータ駆動用トランスを配設して成ることを特徴とする請求項１記載の昇降掘り炬燵。
【発明の詳細な説明】
【０００１】
【発明の属する技術分野】
本発明は、使用しない時には座卓を下降して炉箱内に収納し、使用する時には座卓を上昇して炉箱の上方に突出させて使用する昇降掘り炬燵に関するものである。
【０００２】
【従来の技術】
従来から昇降用モータを駆動して座卓を昇降させ、使用しない時には座卓を下降して炉箱内に収納し、使用する時には座卓を上昇して炉箱の上方に突出させて使用する昇降掘り炬燵が知られている。この従来例の昇降掘り炬燵は、昇降用モータを駆動して座卓の上昇動作を行うための上昇用スイッチ５と、昇降用モータを駆動して座卓の下降動作を行うための下降用スイッチ６と、チャイルドスイッチと称される誤操作防止用スイッチ９、「昇降」と「ヒータ」と「切り」とを切り換えるための切り換えスイッチ４０の３つのスイッチが図５に示すような操作ユニット１１に設けてある。
【０００３】
そして、座卓を使用しない時には、誤操作防止用スイッチ９をオンにした状態で切り換えスイッチ４０を「昇降」側に切り換え、この状態で、下降用スイッチ５をオンにすることで、左右一対の昇降用モータを駆動して座卓を下降動作させ、座卓が下限までくると下限リミットスイッチにより昇降用モータの駆動が停止され、座卓は炉箱内に収納される。この状態で、切り換えスイッチ４０を「切り」位置に切り換えるようになっている。一方、座卓を使用する場合には、誤操作防止用スイッチ９をオンにした状態で切り換えスイッチ４０を「昇降」側に切り換え、この状態で、この状態で上昇用スイッチ５をオンにすることで、左右一対の昇降用モータを駆動して座卓を上昇動作させ、座卓が上限までくると上限リミットスイッチにより昇降用モータの駆動が停止され、同時に座卓が上限位置にあることをヒータリミットスイッチが検知してオンとなり、この状態で、切り換えスイッチ４０をヒータ側に切り換えるとヒータ電源オン・オフ用のリレーに通電されて接点がオンとなり、ヒータに通電可能な状態になる。なお、ヒータには更に日常的にヒータのオン・オフをするための手元スイッチが設けてある。この切り換えスイッチ４０をヒータ側に切り換えた状態では上昇用スイッチ５や下降用スイッチ６には通電されず、したがって、ヒータのみのオン・オフが可能で、座卓の昇降動作ができないようになっている。そして、従来例にあっては、ヒータに通電する場合もモータ駆動用トランスに通電されるように構成してある。
【０００４】
上記のような従来例にあっては、ヒータに通電する場合もモータ駆動用トランスに通電されるように構成してあるので、ヒータに通電して掘り炬燵として使用しているときにモータ駆動用トランスが「ジーィ」という唸り音を発生して耳障りとなるという問題があり、しかも、ヒータ通電時にもモータ駆動用トランスにも通電し続けるためにトランス寿命が短くなるという問題がある。更に、従来にあっては、モータ駆動用トランスが炉箱内に内装してあったので、ヒータに通電して掘り炬燵として使用すると、炉箱内が昇温してモータ駆動用トランスが加熱され、この点でもモータ駆動用トランスの寿命が短くなるという問題があった。
【０００５】
更に、従来にあっては、操作ユニット１１に上昇用スイッチ５と、下降用スイッチ６と、誤操作防止用スイッチ９と、切り換えスイッチ４０を設けて操作ユニット１１に５つの端子を設け、制御回路側に５つの端子を設けて、操作ユニット１１に設けた５つの端子と制御回路側に設けた５つの端子とを３芯ＶＶＦと２芯ＶＶＦとの２種類のＶＶＦで配線接続していたので、接続作業が面倒であり、また、２芯のＶＶＦは電源線として別に配線されるので、誤結線のおそれもあるという問題があった。
【０００６】
また、従来にあっては、操作ユニット１１に切り換えスイッチ４０を設けて、昇降動作、ヒータ使用の際、切りの際等目的に応じて切り換え操作を行う必要があり、操作が煩わしいという問題があった。
【０００７】
【発明が解決しようとする課題】
本発明は上記の点に鑑みてなされたものであり、ヒータに通電する際にモータ駆動用トランスに通電せずに掘り炬燵として使用中にモータ駆動用トランスの唸り音が生じないようにし、また、モータ駆動用トランスの寿命を長くでき、操作ユニットとモータ駆動用の回路とを接続するに当たって１本の３芯ＶＶＦで接続でき、電源線として別に配線される２芯のＶＶＦを誤結線するおそれがなく、また、操作ユニットのスイッチ構成を簡略化して操作が簡単となる昇降掘り炬燵を提供することを課題とするものである。
【０００８】
【課題を解決するための手段】
上記課題を解決するために本発明に係る昇降用掘り炬燵は、昇降用モータ１により座卓２を下降させて炉箱３内に収納させ且つ座卓２を上昇させて炉箱３から突出させるための昇降用スイッチ４を設け、前記昇降用モータ１を駆動するためのモータ駆動用トランス７とリレー用の電源回路３３に通電するためのトランスとを別に設け、昇降用スイッチ４をオンにして昇降用モータ１が駆動している時のみモータ駆動用トランス７に通電し且つ昇降用モータ１が非駆動で昇降動作をしていない時にはモータ駆動用トランス７への通電をオフするためのモータ駆動用トランス入り切り手段を設け、座卓２が上昇して上限位置に位置した状態でのみ通電可能なヒータ８を座卓２に備えて成ることを特徴とするものである。このような構成とすることで、モータ駆動用トランス７には昇降用スイッチ４をオンにした時にのみ通電し、座卓２を上限位置に位置させてヒータ８に通電させた際にはモータ駆動用トランス７には通電せず、したがって、ヒータ８に通電させて掘り炬燵として使用する際にはモータ駆動用トランス７の唸り音が発生せず、また、ヒータ８に通電中にモータ駆動用トランス７に通電しないので、モータ駆動用トランス７の寿命が長くなるものである。
【０００９】
また、昇降用スイッチ４を上昇用スイッチ５と下降用スイッチ６との２つのスイッチで構成し、この上昇用スイッチ５と、下降用スイッチ６と、誤操作防止用スイッチ９とを操作ユニット１１に設け、上昇用スイッチ５の一端部と下降用スイッチ６の一端部と誤操作防止用スイッチ９の一端部とをそれぞれ接続すると共に、昇降用モータ１の制御回路１０に設けた３つの端子１１ａ、１１ｂ、１１ｃに上記上昇用スイッチ５の他端部と下降用スイッチ６の他端部と誤操作防止用スイッチ９の他端部とを接続することも好ましい。このような構成とすることで、操作ユニット１１と昇降用モータ１の制御回路１０とを１本の３芯ＶＶＦにより接続でき、別に設ける電源線である２芯ＶＶＦを誤結線することがないものである。
【００１０】
また、炉箱３の外面から突出した部分にモータ駆動用トランス７を配設することが好ましい。このような構成とすることで、ヒータ８に通電して加熱することで掘り炬燵として利用する際、炉箱３内が昇温してもモータ駆動用トランス７が加熱されにくいものである。
【００１１】
【発明の実施の形態】
以下、本発明を添付図面に示す実施形態に基づいて説明する。
【００１２】
掘り炬燵は図２、図３に示すように、大引１２、根太１３により形成される開口部１４から床下に炉箱３を内装し、炉箱３の上端部を大引１２や根太１３等に金具等を介して固着し、この炉箱３に座卓２を昇降自在に取付けて構成してある。なお根太１３上には床下地用面板１５を載設し、床下地用面板１５上に畳１６を敷設してある。
【００１３】
下部にヒータ８を内装した炉箱３の左右両側部にはそれぞれ左右の昇降用モータ１を含む駆動機構１７を内装して駆動機構収納部１８が設けてあり、この駆動機構収納部１８と炉箱３内とを仕切る仕切り部３７に上下に連続するスリット（図示せず）が設けてあって、このスリットから駆動機構１７の一部を構成する上下移動する昇降アーム１９が炉箱３内に突出しており、図３に示すように昇降アーム１９上に座卓２の脚部２０が脚スペーサ２１を介して載設してあってボルトのような固着具２２により固着してある。そして、昇降用モータ１を正転駆動することで、昇降アーム１９を上昇させて座卓２を炉箱３よりも上方に突出させ、また、昇降用モータ１を逆転駆動することで、昇降アーム１９を下降させて座卓２を炉箱３内に収納することができるようになっている。このように座卓２を下降させて炉箱３内に収納した非使用状態では炉箱３の上開口を蓋用畳等の蓋により覆うようなっている。
【００１４】
上記の昇降用掘り炬燵において、操作ユニット１１には図１、図４に示すように上昇用スイッチ５と下降用スイッチ６との２つのスイッチよりなる昇降用スイッチ４と、チャイルドスイッチと称される誤操作防止用スイッチ９とが設けてある。
【００１５】
また、図１には本発明の昇降用掘り炬燵の制御回路図が示してあり、昇降用モータ１の制御回路１０には３つの端子１１ａ、１１ｂ、１１ｃを有する操作ユニット接続用端子台２３と、２つの端子２５ａ、２５ｂを有する電源線接続用端子台２４とが設けてある。ここで、上記操作ユニット１１内に設けた上昇用スイッチ５と下降用スイッチ６と誤操作防止用スイッチ９とはそれぞれの一端部が図１に示すように接続してあり、上昇用スイッチ５の他端部と下降用スイッチ６の他端部と誤操作防止用スイッチ９の他端部をそれぞれ制御回路１０の操作ユニット接続用端子台２３に設けた上記の３つの端子１１ａ、１１ｂ、１１ｃに接続してある。したがって、操作ユニット１１を昇降用モータ１の制御回路１０に１本の３芯ＶＶＦにより接続するものである。また、電源線接続用端子台２４に２芯ＶＶＦよりなる電源線２６が接続してある。図中２７は商用電源である。このように、操作ユニット１１を昇降用モータ１の制御回路１０に１本の３芯ＶＶＦにより接続することができる構成とすることで、２芯ＶＶＦよりなる電源線２６を操作ユニット接続用端子台２３に誤接続するおそれがない。
【００１６】
本発明の昇降用掘り炬燵には、昇降用モータ１を正転駆動して座卓２を上昇動作させた際、座卓２が上限位置に至ると動作する上限リミットスイッチ２８と、座卓２が上限位置に至ると動作するヒータリミットスイッチ２９と、昇降用モータ１を逆転駆動して座卓２を下降動作させた際、座卓２が下限位置に至ると動作する下限リミットスイッチ３０とが設けてある。ここで、昇降用モータ１は前述のように左右にそれぞれ１個ずつ合計２個設けてあるので、上限リミットスイッチ２８、下限リミットスイッチ３０もそれぞれ図１に示すように２個ずつ設けてある。
【００１７】
操作ユニット接続用端子台２３の上昇用スイッチ５と接続する端子１１ａにはリレーＲｙ１、Ｒｙ３が接続してあり、リレーＲｙ１には一方の上限リミットスイッチ２８が接続してあり、リレーＲｙ３には他方の上限リミットスイッチ２８が接続してある。また、操作ユニット接続用端子台２３の下降用スイッチ６と接続する端子１１ｂにはリレーＲｙ２、Ｒｙ４が接続してあり、リレーＲｙ２には一方の下限リミットスイッチ３０が接続してあり、リレーＲｙ３には他方の下限リミットスイッチ３０が接続してある。更に、上記端子１１ａ、１１ｂにはモータ駆動用トランス入り切り手段を構成するリレーＲｙ７が接続してある。また、誤操作防止用スイッチ９と接続する端子１１ｃにはリレーＲｙ５、Ｒｙ６が接続してあり、リレーＲｙ５、Ｒｙ６はいずれもヒータリミットスイッチ２９が接続してある。
【００１８】
電源線接続用端子台２４にはモータ側電源線３１と、ヒータ側電源線３２とが接続してある。モータ側電源線３１にはリレーＲｙ７の接点ｒ７を介してモータ駆動用トランス７が接続してあり、更に、リレーＲｙ１、Ｒｙ２の各接点ｒ１、ｒ２を介して一方の昇降用モータ１が接続してあり、また、リレーＲｙ３、Ｒｙ４接点ｒ３、ｒ４を介して他方の昇降用モータ１が接続してある。図中３３はリレー用の電源回路である。また、ヒータ側電源３２にはリレーＲｙ５、Ｒｙ６の接点ｒ５、ｒ６を介してヒータ用コンセント３４が接続してあり、ヒータ用コンセント３４にはプラグ３６を介してヒータ８が接続され、このヒータ８は更に日常的にヒータのオン・オフをするための手元スイッチ３５が接続してある。
【００１９】
そして、図１に示すように、誤操作防止用スイッチ９がオフの場合には上昇用スイッチ５、下降用スイッチ６はいずれもオン操作しても通電できず、誤操作防止用スイッチ９がオンの場合にのみ上昇用スイッチ５をオンとして通電でき、また、下降用スイッチ６をオンにして通電できるようになっている。
【００２０】
また、モータ駆動用トランス入り切り手段を構成するリレーＲｙ７は誤操作防止用スイッチ９をオンにした状態で、上昇用スイッチ５又は下降用スイッチ６をオンにした場合にのみ動作するようになっている。
【００２１】
また、ヒータリミットスイッチ２９がオフの時には（つまり座卓２が上限位置に位置していない時）にはリレーＲｙ５、リレーＲｙ６が動作せず、したがって、リレーＲｙ５、リレーＲｙ６の接点ｒ５、ｒ６がオフとなるようにしてある。
【００２２】
しかして、座卓２が炉箱３の上方に突出している状態で座卓２を下降させて炉箱３内に収納するには、誤操作防止用スイッチ９をオンにし、下降用スイッチ６をオン操作するものであり、これにより、モータ駆動用トランス入り切り手段を構成するリレーＲｙ７が動作して接点ｒ７がオンとなり、モータ駆動用トランス７に通電され、また、リレーＲｙ２、Ｒｙ４が動作して接点ｒ２、ｒ４がオンとなり、左右の昇降用モータ１がそれぞれ逆転駆動して座卓２を下降させ、座卓２が完全に炉箱３内に収納されて下限位置まで至ると下限リミットスイッチ３０が動作して通電を切り、これによりリレーＲｙ２、Ｒｙ４の各接点ｒ２、ｒ４がオフとなり、また、リレーＲｙ７の接点ｒ７もオフとなる。この時点で下降用スイッチ６の押圧を止めると下降用スイッチ６はオフとなる。このような収納状態となると、誤操作防止用スイッチ９をオフとすることで、収納状態で、仮に誤って上昇用スイッチ５や下降用スイッチ６をオンにしても通電されず、昇降用モータ１が駆動されることがなく、安全である。また、上記昇降用モータ１が逆転駆動して下降動作を行っている時及び下限位置で収納されているときは、ヒータリミットスイッチ２９がオフであるからヒータ８は通電できない状態であり、手元スイッチ３５をオンにしてもヒータ８には通電されず、安全である。
【００２３】
次に、上記のような座卓２を炉箱３内に収納した収納状態から、座卓２を炉箱３の上方に突出させる場合には、誤操作防止用スイッチ９をオンにし、上昇用スイッチ５をオンにするものであり、これにより、モータ駆動用トランス入り切り手段を構成するリレーＲｙ７が動作して接点ｒ７がオンとなり、モータ駆動用トランス７に通電され、また、リレーＲｙ１、Ｒｙ３が動作して接点ｒ１、ｒ３がオンとなり、左右の昇降用モータ１がそれぞれ正転駆動して座卓２を上昇させ、座卓２が炉箱３から上方に突出してに上限位置まで至ると上限リミットスイッチ２８が動作して通電を切り、これによりリレーＲｙ１、Ｒｙ３の各接点ｒ１、ｒ３がオフとなり、また、リレーＲｙ７の接点ｒ７もオフとなる。更に、座卓２が上限位置に至るとヒータリミットスイッチ２９がオンとなり、リレーＲｙ５、Ｒｙ６に通電して接点ｒ５、ｒ６がオンとなり、ヒータ８に通電できる状態となる。この時点で上昇用スイッチ５の押圧を止めると上昇用スイッチ５はオフとなる。このように座卓２を上限位置に至らせてヒータ８に通電できる状態とした後、誤操作防止用スイッチ９をオフとするものであり、これにより座卓２を上限位置に至らせてヒータ８に通電できる状態において、仮に誤って上昇用スイッチ５や下降用スイッチ６をオンにしても通電されず、昇降用モータ１が駆動されることがなく、安全である。また、上記のように上昇用スイッチ５、下降用スイッチ６がオフの状態ではリレーＲｙ７の接点ｒ７もオフとなるので、モータ駆動用トランス７には通電されない状態となり、このモータ駆動用トランス７に通電されない状態は誤操作防止用スイッチ９をオフとすることで２重に行われることになるものである。
【００２４】
そして、座卓２を上限位置に至らせてヒータ８に通電できる状態で、手元スイッチ３５を操作することで、ヒータ８に通電することができるものであって、掘り炬燵として使用することができるものである。このヒータ８に通電した状態では、上記のように上昇用スイッチ５、下降用スイッチ６がオフの状態であり、更に、誤操作防止用スイッチ９もオフの状態であるので、リレーＲｙ７の接点ｒ７がオフで、モータ駆動用トランス７に通電されないので、ヒータ８通電中にモータ駆動用トランス７が唸り音を発生することがなく、また、ヒータ８通電中にモータ駆動用トランス７に通電しないので、モータ駆動用トランス７の寿命が長くなるものである。
【００２５】
ところで、図２に示すように、炉箱３の壁部の外面部には制御ボックス３５を突出して設けてあり、上記モータ駆動用トランス７が昇降用モータ１の制御回路１０とともに制御ボックス３５内に収納してある。つまり、モータ駆動用トランス７は制御回路１０とともに炉箱３の外面から突出した部分に配設してある。しかして、ヒータ８に通電して加熱することで掘り炬燵として利用する際、炉箱３内が昇温してもモータ駆動用トランス７が加熱されにくく、モータ駆動用トランス７が炉箱３の壁部から外方に向けて突出した制御ボックス３５が床下の空気により冷却されるので、この制御ボックス３５内に収納したモータ駆動用トランス７、制御回路１０が冷却されることになり、高温に昇温されて機能低下を招来するのを防止することができるものである。
【００２６】
【発明の効果】
上記のように本発明の請求項１記載の発明にあっては、昇降用モータにより座卓を下降させて炉箱内に収納させ且つ座卓を上昇させて炉箱から突出させるための昇降用スイッチを設け、前記昇降用モータを駆動するためのモータ駆動用トランスとリレー用の電源回路に通電するためのトランスとを別に設け、昇降用スイッチをオンにして昇降用モータが駆動している時のみモータ駆動用トランスに通電し且つ昇降用モータが非駆動で昇降動作をしていない時にはモータ駆動用トランスへの通電をオフするためのモータ駆動用トランス入り切り手段を設け、座卓が上昇して上限位置に位置した状態でのみ通電可能なヒータを座卓に備えてあるので、モータ駆動用トランスには昇降用スイッチをオンにした時にのみ通電し、座卓を上限位置に位置させてヒータに通電させた際にはモータ駆動用トランスには通電しないものであって、この結果、ヒータに通電させて掘り炬燵として使用する際にはモータ駆動用トランスの唸り音が発生せずに快適に掘り炬燵として使用することができ、また、ヒータの通電中にはモータ駆動用トランスに通電しないので、モータ駆動用トランスの寿命が長くなるものである。
【００２７】
また、請求項２記載の発明にあっては、上記請求項１記載の発明の効果に加えて、昇降用スイッチを上昇用スイッチと下降用スイッチとの２つのスイッチで構成し、この上昇用スイッチと、下降用スイッチと、誤操作防止用スイッチとを操作ユニットに設け、上昇用スイッチの一端部と下降用スイッチの一端部と誤操作防止用スイッチの一端部とをそれぞれ接続すると共に、昇降用モータの制御回路に設けた３つの端子に上記上昇用スイッチの他端部と下降用スイッチの他端部と誤操作防止用スイッチの他端部とを接続してあるので、操作ユニットと昇降用モータの制御回路とを１本の３芯ＶＶＦにより接続でき、別に設ける電源線である２芯ＶＶＦを誤結線することがないものであり、接続作業が簡単且つ正確にできるものである。
【００２８】
また、請求項３記載の発明にあっては、上記請求項１記載の発明の効果に加えて、炉箱の外面から突出した部分にモータ駆動用トランスを配設してあるので、ヒータに通電して加熱することで掘り炬燵として利用する際、炉箱内が昇温してもモータ駆動用トランスが加熱されにくく、モータ駆動用トランスが床下の空気により冷却されていっそうモータ駆動用トランスの寿命が長くなり、長期間安定して使用できるものである。
【図面の簡単な説明】
【図１】  本発明の昇降掘り炬燵の制御回路図である。
【図２】  同上の昇降掘り炬燵の断面図である。
【図３】  同上の要部拡大断面図である。
【図４】  同上の操作ユニットの平面図である。
【図５】  従来例の操作ユニットの平面図である。
【符号の説明】
１  昇降用モータ
２  座卓
３  炉箱
４  昇降用スイッチ
５  上昇用スイッチ
６  下降用スイッチ
７  モータ駆動用トランス
８  ヒータ
【図１】
0003719041.tif 000002
【図２】
0003719041.tif 000003
【図３】
0003719041.tif 000004
【図４】
0003719041.tif 000005
【図５】
0003719041.tif 000006